(57)【要約】【課題】本考案は、従来の施設に比べ飛躍的に強度が高いパイプハウスおよびその組み立てキットを提供する。【解決手段】本考案のパイプハウスは、互いに平行に水平方向に設置される２本のガイドパイプ１と、それぞれ下端部が略鉛直方向に地中に差し込まれ、各ガイドパイプ１に連結される対の杭パイプ３と、上から被せるように杭パイプ３に挿入されて固定される対の側柱パイプ４と、対の側柱パイプ４の上端部に両端部が連結されたアーチパイプ５とを具える。このパイプハウスでは、ガイドパイプ１、側柱パイプ４、およびアーチパイプ５には従来のビニールハウスより太い直径４８．６ｍｍの単管パイプを好適に用いることができる。【選択図】図１
0003218803.tif 000002
【実用新案登録請求の範囲】
【請求項１】
パイプを組み合わせて躯体が構成されるパイプハウスであって、互いに平行に水平方向に設置される２本のガイド部材と、それぞれ下端部が略鉛直方向に地中に差し込まれ、各ガイド部材に互いに間隔を空けて連結される複数対の杭部材と、それぞれ前記杭部材を挿入して固定される複数対の側柱パイプと、前記側柱パイプの各対の上端部に連結されるアーチパイプとを具え、前記側柱パイプはそれぞれ、下端部が前記ガイド部材と前記杭部材の連結部に当接して固定されることを特徴とするパイプハウス。
【請求項２】
請求項１に記載のパイプハウスにおいて、前記アーチパイプは中央の曲部と、補強のためのタイバーとを具えることを特徴とするパイプハウス。
【請求項３】
請求項１又は２に記載のパイプハウスにおいて、対の側柱パイプはその上端部近傍で互いの方へ屈曲するとともに上端部が絞り加工されており、前記アーチパイプの両端部に挿入固定されることを特徴とするパイプハウス。
【請求項４】
請求項１乃至３の何れか１項に記載のパイプハウスにおいて、前記杭部材、前記側柱パイプ、および前記アーチパイプの間の連結部は、雄側部材を雌側部材に挿入してから雌側部材に予め設けられた１またはそれ以上のネジ穴に鉄鋼ビスをねじ込むことによって雄側部材に貫通させて固定されることを特徴とするパイプハウス。
【請求項５】
請求項１乃至４の何れか１項に記載のパイプハウスにおいて、前記２本のガイド部材は地中に埋め込まれることを特徴とするパイプハウス。
【請求項６】
パイプハウスを組み立てるためのキットであって、互いに平行に水平方向に設置される２本のガイド部材と、各ガイド部材に互いに間隔を空けて略垂直方向に連結され、その下端部は地中に差し込まれる複数対の杭部材と、それぞれ前記杭部材を挿入して前記杭部材と前記ガイド部材の連結部に当接した状態で固定される複数対の側柱パイプと、前記側柱パイプの各対の頂部に連結される複数のアーチパイプとを具えることを特徴とするキット。
【請求項７】
請求項６に記載のパイプハウスを組み立てるためのキットにおいて、前記アーチパイプは中央の曲部と、補強のためのタイバーとを具えることを特徴とするキット。
【請求項８】
請求項６又は７に記載のパイプハウスを組み立てるためのキットにおいて、対の側柱パイプは、前記アーチパイプの両端部に挿入固定するために、その上端部近傍で互いの方へ屈曲するとともに上端部が絞り加工されていることを特徴とするキット。
【請求項９】
請求項６乃至８の何れか１項に記載のパイプハウスを組み立てるためのキットにおいて、前記側柱パイプの下端部近傍と、前記アーチパイプの両端部近傍に、鉄工用ビスをねじ込むための１以上のネジ穴が設けられていることを特徴とするキット。
【考案の詳細な説明】
【技術分野】
【０００１】
本考案はパイプハウスに関し、より具体的には、建設現場の足場用資材として広く用いられている単管パイプと呼ばれる直径４８．６ｍｍのパイプを用い、従来の施設に比べ飛躍的に強度を高めたパイプハウスに関するものである。また、本考案は、被覆資材を変えることで、ビニールハウス・倉庫・家畜舎等とすることも可能である。
【背景技術】
【０００２】
従来から、農作物栽培のためにビニールハウスが広く利用されている。典型的なビニールハウスは、外径１９．１ｍｍ、２２．２ｍｍ、２５．４ｍｍ等のパイプが用いられ、躯体を構成するアーチパイプを並べて地面に突き刺して、各アーチパイプを連結して建造される。しかしながら、このような従来型のビニールハウスは、強い風雨、雪などで倒壊することがあった。このため、特許文献１（特開平１１−１５５３８７公報）では、より太い工事足場用４８．６ｍｍ径の単管パイプでパイプハウスを構成することが提案されている。その他、特許文献２（特開２０１１−２４７０３３公報）では、支柱用単管パイプどうしを連結用単管パイプで簡易かつ迅速に連結できるようにした方法が提案されている。
【先行技術文献】
【特許文献】
【０００３】
【特許文献１】特開平１１−１５５３８７公報
【特許文献２】特開２０１１−２４７０３３公報
【考案の概要】
【考案が解決しようとする課題】
【０００４】
しかしながら、より丈夫な単管パイプを用いた場合でも、複数のアーチパイプを地面に突き刺してビニールハウスを構築していくと、突き刺す場所は事前にマーキング等して揃えることができるが、突き刺す深さ、すなわちアーチパイプごとの高さは不均一になりがちであり、棟木パイプの連結時などの後の工程で問題となる場合があった。また、アーチパイプを地面に突き刺しただけの固定方法では、強風でビニールハウスが煽られてアーチパイプが地面から抜け、ハウスが倒壊する場合があった。
【０００５】
したがって、本考案の目的は、従来の施設に比べ飛躍的に強度が高く、比較的安価で建設できるパイプハウスおよびその組み立てキットを提供することである。
【課題を解決するための手段】
【０００６】
上記目的を達成するため、本考案の一実施形態は、パイプを組み合わせて躯体が構成されるパイプハウスに関し、このパイプハウスは、互いに平行に水平方向に設置される２本のガイド部材と、それぞれ下端部が略鉛直方向に地中に差し込まれ、各ガイド部材に互いに間隔を空けて連結される複数対の杭部材と、それぞれ杭部材を挿入して固定される複数対の側柱パイプと、側柱パイプの各対の上端部に連結されるアーチパイプとを具え、側柱パイプはそれぞれ、下端部がガイド部材と杭部材の連結部に当接して固定されることを特徴とする。ここで、ガイド部材には単管パイプやＬ字鋼を用いることができる。また、杭部材は、無垢部材でも小径パイプでもよいし、杭部材が深く刺さらないような硬い場所では回転させて地中にねじ込むスパイラル杭や、杭の下端部にコンクリート基礎を設けたものであってもよい。
【０００７】
本考案のパイプハウスのさらなる実施形態では、アーチパイプは中央の角が丸まった曲部と、補強のためのタイバーとを具えることを特徴とする。
【０００８】
本考案のパイプハウスのさらなる実施形態では、対の側柱パイプはその上端部近傍で互いの方へ屈曲するとともに上端部が絞り加工（スウェジ加工）されており、アーチパイプの両端部に挿入固定されることを特徴とする。
【０００９】
本考案のパイプハウスのさらなる実施形態では、杭部材、側柱パイプ、およびアーチパイプの間の連結部は、雄側部材を雌側部材に挿入してから雌側部材に予め設けられた１またはそれ以上のネジ穴に鉄工用ビスをねじ込むことによって雄側部材に貫通させて固定されることを特徴とする。
【００１０】
本考案のパイプハウスのさらなる実施形態では、２本のガイド部材は地中に埋め込まれることを特徴とする。
【００１１】
本考案はさらに、上記のようなパイプハウスを組み立てるためのキットに関し、互いに平行に水平方向に設置される２本のガイド部材と、各ガイド部材に互いに間隔を空けて略垂直方向に連結され、その下端部は地中に差し込まれる複数対の杭部材と、それぞれ杭部材を挿入して杭部材とガイド部材の連結部に当接した状態で固定される複数対の側柱パイプと、側柱パイプの各対の頂部に連結されるアーチパイプとを具えることを特徴とする。
【００１２】
本考案のキットのさらなる実施形態では、アーチパイプは中央の角が丸まった曲部と、補強のためのタイバーとを具えることを特徴とする。
【００１３】
本考案のキットのさらなる実施形態では、対の側柱パイプはその上端部近傍で互いの方へ屈曲するとともに上端部が絞り加工されており、アーチパイプの両端部に挿入固定されることを特徴とする。
【００１４】
本考案のキットのさらなる実施形態では、側柱パイプの下端部近傍と、アーチパイプの両端部近傍に、鉄工用ビスをねじ込むための１以上のネジ穴が設けられていることを特徴とする。
【考案の効果】
【００１５】
本考案のパイプハウスまたはその組み立て用キットによれば、側柱パイプの下端部がそれぞれ、地面に水平に置かれるガイド部材と杭部材の連結部に当接した状態で固定されるため、側柱パイプやアーチパイプの高さを均一に揃えることができる。
【００１６】
また、アーチパイプ頂部の棟部分を継手で連結せずに屈曲させたため、継手で連結する場合と違って棟部分が角張らず、外側に張り渡されるビニールの破損を避けることができる。また、タイバーにより豪雪等による垂直負荷にも確実に耐えることができる。
【００１７】
さらに、側柱パイプも屈曲させたことによって角張らず、ビニールの破損を避けることができる。側柱パイプおよびアーチパイプは、絞り加工（スウェジ加工）部分を介して連結できるので、組み立てが簡易かつ迅速となる。
【００１８】
杭部材、側柱パイプ、およびアーチパイプの間の連結部は、雌側のみにネジ穴を設け、これに鉄鋼ビスをねじ込んで雄側まで貫通させることによって固定するため、簡易かつ迅速に組み立て可能であるとともに、雄側にネジ穴を設けるよりも位置合わせの要求精度を下げることができる。したがって、パイプハウスの部材製造および組立のコストを低く抑えることができる。
【００１９】
本考案のパイプハウスは、２本のガイド部材を地中に埋めることにより、基材であるガイド部材が強固に固定され、パイプハウスが強風で飛ばされるようなことがなくなる。
【図面の簡単な説明】
【００２０】
【図１】図１は、本考案のパイプハウスの全体像を示す概略斜視図である。
【図２】図２は、本考案のパイプハウスのフレームの地上部分を示す正面図である。
【図３】図３は、側柱パイプ４とアーチパイプ５の連結部分を示す分解斜視図である。
【図４】図４ａおよび図４ｂは、本考案のパイプハウスの片側の基礎部分を示す正面図および側面図である。図４ｃは、基礎部分を構成するガイドパイプ１、連結部材２、杭パイプ３および側柱パイプ４の位置関係を示した斜視図である。
【図５】図５は、本考案のパイプハウスの基礎部分の代替実施例を示す斜視図である。
【考案を実施するための形態】
【００２１】
本考案を実施するための形態について、添付図面を参照しながら以下に詳細に説明する。以下の実施例では、本考案のパイプハウスを農業用ビニールハウスとして用いる場合、すなわちパイプハウスの被覆材がビニールシートである場合について説明する。ただし、本考案はビニールハウスのみならず、被覆材に透明、半透明または不透明のパネルや波板を用いた倉庫や畜舎など他の施設にも適用可能である。
【００２２】
図１は、本考案のパイプハウスの全体像を示す概略斜視図である。図１に示すように、本実施例にかかるパイプハウスは、互いに平行に水平方向に設置される２本のガイドパイプ１と、それぞれ下端部が略鉛直方向に地中に差し込まれ、各ガイドパイプ１に連結される対の杭パイプ３と、上から被せるように杭パイプ３に挿入されて固定される対の側柱パイプ４と、対の側柱パイプ４の上端部に両端部が連結されたアーチパイプ５とを具えている。本実施形態のパイプハウスでは、ガイドパイプ１、側柱パイプ４、およびアーチパイプ５には従来のビニールハウスより太い直径４８．６ｍｍの単管パイプを好適に用いることができる。
【００２３】
図１に示すように、一対の杭パイプ３、一対の側柱パイプ４、およびアーチパイプ５が１つのユニット１０を構成し、図１には明瞭のため両端の２つのユニットのみを示すが、多数のユニット１０が所定間隔でガイドパイプ１に連結されて横方向にならび、各ユニット１０が頂部の棟木パイプ７および必要に応じて複数本設けられる母屋パイプ８によって連結される。このように構成された躯体にビニールシート９を張り渡してビニールハウスが構成される。なお、本考案の特徴部分ではないため図示および説明を省略するが、パイプハウスは出入り口を含む妻面の構造や、側面の窓、その他に必要な補強部材を有して構成される。
【００２４】
本考案にかかるパイプハウスは、大きく地上部分と基礎部分に分けることができる。図２は、そのうちの地上部分の詳細を示す図である。地上部分は、両側の一対の側柱パイプ４と、中央のアーチパイプ５と、アーチパイプ５を補強するタイバー６とから構成される。側柱パイプ４はパイプハウス躯体の側面を支える部材であり、アーチパイプ５はパイプハウスの頂部を支える部材である。タイバー６は、アーチパイプ５に溶接等により取り付けられる管材または棒材であり、アーチパイプ５の鉛直荷重に対する強度を補強する。
【００２５】
図２に示すように、本実施例のアーチパイプ５は、単管パイプの中央部（棟部分）５ａを機械加工によって角張らないように曲げて構成されている。同様に、各側柱パイプ４の上端部近傍にも互いに向かって角が丸まった曲部４ａを有する。ここで、足場用の単管パイプを用いてパイプハウスを構成しようとすると、躯体の角部ごとに単管パイプジョイントと呼ばれる金具で直管パイプ同士を所望の角度で連結することが考えられる。しかしながらその場合、パイプ躯体の鉛直および横の荷重に対する強度が単管パイプジョイントの曲げ強度に大きく依存することとなり、接続対象パイプの挿入深さの不足、および、荷重が直接集中してしまうという２つの問題により、強度面で不安が残るものであった。この点、本考案のパイプハウスの躯体を構成するパイプ４、５の曲部４ａ、５ａは、図２に示すように、単管パイプ自体を曲げることで形成されており、他の金具等を用いることがない。したがって、パイプ全体で荷重を支えることができ、耐過重性が飛躍的に向上する。同時に、曲部４ａ、５ａは角張らないように曲げられているため、被覆されるビニールシートが角部やジョイントの出っ張りによって破損することが回避される。
【００２６】
図３は、側柱パイプ４とアーチパイプ５の連結部分を示す分解斜視図である。側柱パイプ４とアーチパイプ５との連結部は、図３に示すように、側柱パイプ４の上端部にアーチパイプ５の内径と同径まで絞り加工（スウェジ処理）を施して雄部分４ｂを作り、これをアーチパイプ５の端部（すなわち雌部分）に挿入することによって接続される。アーチパイプ５の端部近傍にはネジ穴５ｂが予め設けられており、接続後ここに鉄工用ビス（ドリルねじとも呼ばれる）１２をねじ込んで下の側柱パイプ４まで貫通させることにより側柱パイプ４とアーチパイプ５を強固に連結することができる。ネジ穴５ｂは１つでもよいし、アーチパイプ５の同じ側あるいは反対側に２つ、あるいはそれ以上設けて２箇所以上で固定することができる。
【００２７】
このように単管パイプ同士を連結すると、簡単でシームレスな連結が可能となり、作業効率が向上するとともに、被覆されるビニールを破損してしまうことがない。また、アーチパイプ５側（雌部分）にのみネジ穴５ｂを設け、側柱パイプ４側（雄部分）には設けずに鉄工用ビス１２を貫通させるようにしたため、両方にネジ穴を設ける場合と比べて製造工程を簡略化できるとともに、位置合わせの要求精度を下げることができる。ただし、本考案においてこの連結構造は必須の構成ではなく、単なるネジを用いてアーチパイプ５と側柱パイプ４を締め付けて固定したり、側柱パイプ４にもネジ穴を設けてネジ止めするようにしてもよい。
【００２８】
タイバー６は、アーチパイプ５の内側に水平方向に渡されるパイプまたは棒材であり、アーチパイプ５の曲部５ａを頂点とする三角形の底辺を構成するように溶接その他の方法で取り付けられている。タイバー６は、鉛直荷重によるアーチパイプ５の変形を抑制する機能を有する。なお、大型のパイプハウスでは、アーチパイプ５の中央曲部５ａからタイバー６の間に垂直に延びる更なる支材（図示せず）を設けるようにしてもよい。
【００２９】
好適な実施例では、アーチパイプ５は予め曲げられ、ネジ穴５ｂが設けられ、タイバー６が溶接された状態で出荷される。また、側柱パイプ４も予め曲げられ、絞り加工された状態で出荷される。パイプハウスの建設現場では、図２に示す地上部分を複数作成しておき、以下に述べる基礎部分の上に連結してパイプハウスを建造していく。
【００３０】
図４は本考案のパイプハウスの基礎部分の詳細図であり、図４（ａ）および図４（ｂ）はパイプハウスの片側の基礎部分を示す正面図および側面図、図４（ｃ）は、基礎部分を構成するガイドパイプ１、連結部材２、杭パイプ３および側柱パイプ４下端部の位置関係を示した斜視図である。図４（ａ）に示すように、最初に地面に２本の溝を平行に掘って対のガイドパイプ１が設置される。次に、図４（ｂ）に示すように、所定の間隔で複数の杭パイプ３をガイドパイプ１に直交方向に連結する。杭パイプ３は、本例では単管パイプである側柱パイプ４に挿入可能な、例えば外径４２．７ｍｍの鋼管を好適に用いることができるが、この杭パイプ３は中実（すなわち無垢）の杭材であってもよいし、単管パイプを絞り加工（スウェジ加工）したものであってもよい。さらに、杭が刺さりにくい場所等では、先端がドリル形状のスパイラル杭や、杭パイプを挿入するための穴が設けられたコンクリート基礎を用いることもできる（図示せず）。ガイドパイプ１と杭パイプ３の連結には、これらのパイプを直交方向に連結可能な市販のクランプ、クロスバンド、ガイドリングなどの連結部材２を用いることができる。図１、４には連結部材２の例としてクロスバンドを用いた実施例を示す。この連結部材２にクランプやガイドリングなどを用いる場合、杭パイプ３が地面に対して垂直に固定されるように、ガイドパイプ１に所望の間隔で予めネジ・ビス・溶接などで固定されていてもよい。このような連結部材２により、杭パイプ３がガイドパイプ１に沿って固定される。
【００３１】
図４ｃに示すように、ガイドパイプ１に直交方向に連結された杭パイプ３の上から被せるように、側柱パイプ４の下端部に杭パイプ３の上端部を挿入する。実際の現場では、図２に示す組み立てられた地上部分を立ち上げ、さらに持ち上げて対の杭パイプ３の上に降ろす。このとき、側柱パイプ４の下端部が、杭パイプ３とガイドパイプ１の連結部分に当接して止まる。これにより、すべての側柱パイプ４の下端部がガイドパイプ１のレベルに揃えられるため、すべての側柱パイプ４、ひいては地上部分の高さを一定にすることが可能である。したがって、本考案のパイプハウスおよびそのキットによれば、地中に差し込む杭パイプ３の差し込み深さを厳密に揃える必要がなく、熟練の作業者でなくても容易に建造することができる。
【００３２】
杭パイプ３と側柱パイプ４とは、接続部分に鉄工用ビス１２を打ち込むことで最終的に固定される。この詳細は、図３で説明した側柱パイプ４とアーチパイプ５の連結部分と同様である。ここで、図３および図４（ｃ）に示すように、上に位置する部材を雌側部材とし、下の雄側部材に被せるようにすることにより、雨水等がパイプ内部に入って後に問題となるのが回避される。最後に、図４（ａ）に示す溝を埋め戻して、ガイドパイプ１を含む基礎部分を地中に埋め込むことにより、パイプハウスが強固に固定され強風等でも倒壊するおそれがなくなる。なお、その後に図１に示す棟木パイプ７や母屋パイプ８、出入り口や窓などの必要なフレームを構築し、ビニールシートを張り渡してビニールハウスを完成させる。これらの工程や要素は公知技術を用いることができるため、詳細な説明は本明細書において省略する。
【００３３】
このように単管パイプを用いて本考案のビニールハウスを構成すると、従来の細径パイプを用いたビニールハウスと比べて約１０倍の強度を有するビニールハウスを構成することができる。また、ガイドパイプ１、杭パイプ３、側柱パイプ４、タイバー付のアーチパイプ５をそれぞれ必要分だけ組み合わせたキットで提供することにより、利用者が自分達で簡単に強靱なパイプハウスを建造することができる。
【００３４】
以上、本考案にかかるパイプハウスの一実施形態について詳細に説明したが、本考案は上記実施例に限定することなく、他の様々な変形例として実現することができる。上述したが、本考案のパイプハウスは、他の被覆材を用いて倉庫・家畜舎等に転用することができる。また、各パイプ１、３、４、５、６は単管パイプを用いてもよいし、それに限らず他の径のパイプを用いてもよい。また、各部の連結構造も上記したものに限らず、他の公知の連結構造を採用してもよい。構築するパイプハウスの大きさによっては、複数本のガイドパイプ１を継手でつないで適用してもよい。
【００３５】
図５は、基礎部分の変形例を示す概略斜視図である。図５に示すように、本実施例では図３に示す単管パイプであるガイドパイプ１の代わりに、Ｌ字鋼１５を用いている。Ｌ字鋼１５と杭パイプ３はネジ、ビス、溶接、その他の既存のジョイントを用いて連結することができる。Ｌ字鋼１５は断面直角であるため、溝内に置いたときに杭パイプ３の垂直方向のあたりがつけ易くなるとともに、パイプ同士を連結する場合と比べて杭パイプ３との連結構造が簡単となる。なお、本明細書中の実施例ではガイドパイプ１またはＬ字鋼１５を含む基礎構造を地中に埋め込むようにしているが、ガイドパイプ１またはＬ字鋼１５を地面に載置した状態で地中に埋め込まずにパイプハウスを建造してもよい。
【符号の説明】
【００３６】
１  ガイドパイプ
２  連結部材
３  杭パイプ
４  側柱パイプ
５  アーチパイプ
６  タイバー
１２  鉄工用ビス
【図１】
0003218803.tif 000003
【図２】
0003218803.tif 000004
【図３】
0003218803.tif 000005
【図４】
0003218803.tif 000006
【図５】
0003218803.tif 000007